(57)【要約】【課題】昼夜使用できかつ遠投しても釣糸が釣用うきに絡み難い昼夜兼用の釣用うきを提供する。【解決手段】紡錘形状、回転楕円体、又は卵形状のうき本体１１の下部に自立用の錘１７が設けられていると共に、底部中央に金属性の糸通し環１２が設けられている昼夜兼用の釣用うき１０において、うき本体１０の頂部中央に断面円形の突出部１３が設けられていると共に、突出部１３に透明の合成樹脂管１４の下側が装着され、更に、合成樹脂管１４の上側に取替可能に装着される棒状化学発光体１５と、棒状化学発光体１５より長く少なくとも下部が棒状化学発光体１５と同一外径の棒状補助うき１６とを有する。【選択図】図１
0003164315.tif 000002
【実用新案登録請求の範囲】
【請求項１】
紡錘形状、回転楕円体、又は卵形状のうき本体の下部に自立用の錘が設けられていると共に、底部中央に金属性の糸通し環が設けられている昼夜兼用の釣用うきにおいて、
前記うき本体の頂部中央に断面円形の突出部が設けられていると共に、該突出部に透明の合成樹脂管の下側が装着され、更に、該合成樹脂管の上側に取替可能に装着される棒状化学発光体と、該棒状化学発光体より長く少なくとも下部が該棒状化学発光体と同一外径の棒状補助うきとを有することを特徴とする昼夜兼用の釣用うき。
【請求項２】
請求項１記載の昼夜兼用の釣用うきにおいて、前記棒状補助うきは、前記化学発光体の１．７〜４倍の長さを有していることを特徴とする昼夜兼用の釣用うき。
【請求項３】
請求項１又は２記載の昼夜兼用の釣用うきにおいて、前記棒状補助うきは前記棒状化学発光体と同一直径の基側部と、該基側部の上側に連接されて前記基側部より直径の小さい先側部とを有していることを特徴とする昼夜兼用の釣用うき。
【考案の詳細な説明】
【技術分野】
【０００１】
本考案は湖、海等で魚を釣るために使用する釣用うきに係り、特に夜間及び昼間において使用可能な昼夜兼用の釣用うきに関する。
【背景技術】
【０００２】
岸から少し離れた場所を釣る場合、飛距離の出る紡錘形又は涙滴形の釣用うきが広く使用されている（例えば、特許文献１参照）。そして、この釣用うきに棒状化学発光体を取付ける釣用うきも提案されている（例えば、特許文献２参照）。
ところが、特許文献１記載の釣用うきは昼用の釣用うきであって夜間には釣用うきを交換する必要がある。また、特許文献２記載の釣用うきは夜間用の釣用うきで昼間使用すると視認性が悪いという問題があった。
そこで、本考案者は先に特許文献３に記載するような昼夜兼用の釣用うきを提案した。
【先行技術文献】
【特許文献】
【０００３】
【特許文献１】特開平１１−３３２４４１号公報
【特許文献２】特開２０００−１２５７２９号公報
【特許文献３】実用新案登録第３１５４５９８号公報
【考案の概要】
【考案が解決しようとする課題】
【０００４】
特許文献３記載の釣用うきは、夜間及び昼間のいずれにも使用できるが、中通しうきであって、うき本体の斜め上側に更に棒状化学発光体又は補助うきを取付けるための機構が突出しているので、遠投すると釣糸がうき本体の突出部分に絡み易いという問題が発生した。また、補助うきに玉うきを使用していたので、遠投すると波間に揉まれて視認性が下がるという問題が発生した。
【０００５】
本考案はかかる事情に鑑みてなされたもので、昼夜使用できかつ遠投しても釣糸が釣用うきに絡み難い昼夜兼用の釣用うきを提供することを目的とする。
【課題を解決するための手段】
【０００６】
前記目的に沿う本考案に係る昼夜兼用の釣用うきは、紡錘形状、回転楕円体、又は卵形状のうき本体の下部に自立用の錘が設けられていると共に、底部中央に金属性の糸通し環が設けられている昼夜兼用の釣用うきにおいて、
前記うき本体の頂部中央に断面円形の突出部が設けられていると共に、該突出部に透明の合成樹脂管の下側が装着され、更に、該合成樹脂管の上側に取替可能に装着される棒状化学発光体と、該棒状化学発光体より長く少なくとも下部が該棒状化学発光体と同一外径の棒状補助うきとを有する。
【０００７】
本考案の昼夜兼用の釣用うきにおいて、前記棒状補助うきは、前記棒状化学発光体の１．７〜４倍の長さを有しているのが好ましい。
また、本考案の昼夜兼用の釣用うきにおいて、前記棒状補助うきは、前記棒状化学発光体と同一直径の基側部と、該基側部の上側に連接されて該基側部より直径の小さい先側部とを有しているのが好ましい。
【考案の効果】
【０００８】
本考案に係る昼夜兼用の釣用うきにおいては、うき本体の下部に自立用の錘が設けられているので水面に自立し、うき本体の底部中央に金属性の糸通し環が設けられているので、釣糸に摺動可能に装着できる。
そして、うき本体の頂部中央に断面円形の突出部が設けられ、この突出部に透明の合成樹脂管の下側が装着されているので、合成樹脂管が古くなった場合には交換することもできる。そして、この合成樹脂管には、棒状化学発光体と、この棒状化学発光体より長い棒状補助うきとを装着できるので、昼間は棒状補助うきを用いて、夜間は棒状化学発光体を用いて釣りをすることができる。
【０００９】
この場合、棒状化学発光体を装着する合成樹脂管は透明であるので、棒状化学発光体の合成樹脂管に装着されている部分からも外部に光を発することができ、これによって夜間における視認性が高まる。
また、この昼夜兼用の釣用うきは、釣糸をうき本体の底部中央に設けられている糸通し環を通して仕掛けが形成され、うき本体の中央を釣糸が通る中通しうきではないので、釣糸がうき本体の上部に設けた棒状化学発光体や棒状補助うきに絡みにくく、安心して仕掛けの遠投ができる。
【００１０】
本考案の昼夜兼用の釣用うきにおいて、棒状補助うきの長さを棒状化学発光体の１．７〜４倍のとした場合には、昼間でも昼夜兼用の釣用うきの視認性が高まる。
そして、本考案の昼夜兼用の釣用うきにおいて、棒状補助うきの下部に棒状化学発光体と同一直径の基側部を、その上側に先側部を有している場合は、棒状補助うきの長さを長くしても昼夜兼用の釣用うきの自立性を確保でき、また、釣糸絡みも減少する。
【図面の簡単な説明】
【００１１】
【図１】（Ａ）は本考案の一実施の形態に係る昼夜兼用の釣用うきの正面図、（Ｂ）はその一部切欠き正面図である。
【図２】（Ａ）、（Ｂ）は同昼夜兼用の釣用うきの構造の説明図である。
【考案を実施するための形態】
【００１２】
続いて、添付した図面を参照しつつ、本考案を具体化した一実施の形態に係る昼夜兼用の釣用うきについて説明する。
図１（Ａ）、（Ｂ）に示すように、本考案の一実施の形態に係る昼夜兼用の釣用うき１０は、横断面円形で軸対象に形成された、紡錘形状、回転楕円体、又は卵形状のうき本体１１と、うき本体１１の底部中央に設けられている金属性の糸通し環１２と、うき本体１１の頂部中央に設けられている断面円形の突出部１３と、突出部１３に下側が装着される透明の合成樹脂管１４と、合成樹脂管１４の上側に取替可能に装着される棒状化学発光体１５及び棒状補助うき１６とを有する。以下、これらについて詳しく説明する。
【００１３】
図２（Ａ）、（Ｂ）に示すように、うき本体１１は、比重が１より小さい木材又はプラスチックからなり、最大直径が例えば２〜３．５ｃｍ、高さが直径の１．３〜１．７倍（より好ましくは、１．４〜１．６倍）となっている。うき本体１１の下部に自立用の錘１７が設けられ、更にその底部中央には、直径が約１ｍｍの釣糸通し孔１８を有する金属製の糸通し環１２が設けられている。うき本体１１の上半分の表面１９は赤系オレンジ色の夜光塗料が、下部表面２０には青色が、その中間部の表面２１には黄色系オレンジ色の夜光塗料が塗布されている。
錘１７によって、このうき本体１１に棒状補助うき１６を装着した状態で、うき本体１１の５０〜８０％が水中に沈むようにうき本体１１の比重及び錘１７の量が決定されている。
【００１４】
うき本体１１の頂部中央には、合成樹脂からなる断面円形の突出部１３が設けられている。この突出部１３の直径は４〜５．２ｍｍ（この実施の形態では４．８ｍｍ）で、うき本体１１から４〜８ｍｍ程度上部に突出している。長さが１０〜２０ｍｍ、内径が突出部１３より僅少の範囲（例えば０．０５〜０．６ｍｍ）で小さい塩化ビニールからなる透明の合成樹脂管１４の下側がこの突出部１３に装着されている。
なお、突出部１３はうき本体１１に頂部中央から抜けないように、例えば、接着剤等で固定するのが好ましい。
【００１５】
棒状化学発光体１５は市販のもので、この実施の形態では、直径が４．５ｍｍ、長さが３５ｍｍのものを使用しているが、合成樹脂管１４の内径に合わせて、６ｍｍや７．５ｍｍの直径のものを使用することもでき、長さも例えば、２５ｍｍ、３７ｍｍ、７０ｍｍ、１００ｍｍなどを使用できる。なお、棒状化学発光体１５の長さを長くする場合は、うき本体１１も大型とするのが好ましい。
一方、棒状補助うき１６は下部に、棒状化学発光体１５と同一の外径の基側部２３を有し、その上部に基側部２３より直径が小さい（例えば、基側部２３の直径の０．５〜０．８倍）となった先側部２４が連結されている。
【００１６】
基側部２３の長さは棒状化学発光体１５と同一の長さとなっているが、先側部２４は基側部２３の長さの０．７〜３倍の長さとなって、この棒状補助うき１６の長さは、棒状化学発光体１５の長さの１．７〜４倍となっている。
なお、棒状補助うき１６の先側部２４（及び基側部２３にも）にオレンジ系、赤系、黄色系の蛍光塗料が複数段に分かれて塗布され、視認性を高めている。
【００１７】
この昼夜兼用の釣用うき１０を昼間使用する場合は、図１（Ａ）に示すように、合成樹脂管１４に棒状補助うき１６を装着して使用する。なお、２５は釣糸、２６はシモリ、２７、２８はうき止めである。そして、夜になったら、棒状補助うき１６を合成樹脂管１４から取り外して、棒状化学発光体１５を合成樹脂管１４に装着する。
これによって、魚釣り用の仕掛けを作り直すことなく、昼夜兼用の釣用うき１０を使用できる。
【００１８】
前記実施の形態においては、具体的数字を用いて本考案を説明したが、本考案に係る昼夜兼用の釣用うきは、その要旨を変更しない範囲で、寸法、材質及び形状の変更は可能である。
【符号の説明】
【００１９】
１０：昼夜兼用の釣用うき、１１：うき本体、１２：糸通し環、１３：突出部、１４：合成樹脂管、１５：棒状化学発光体、１６：棒状補助うき、１７：錘、１８：釣糸通し孔、１９：上半分の表面、２０：下部表面、２１：中間部の表面、２３：基側部、２４：先側部、２５：釣糸、２６：シモリ、２７、２８：うき止め
【図１】
0003164315.tif 000003
【図２】
0003164315.tif 000004
【手続補正書】
【提出日】平成22年9月21日(2010.9.21)
【手続補正１】
【補正対象書類名】実用新案登録請求の範囲
【補正対象項目名】全文
【補正方法】変更
【補正の内容】
【実用新案登録請求の範囲】
【請求項１】
下部に自立用の錘が設けられている、紡錘形状、回転楕円体、又は卵形状のうき本体と、該うき本体の底部中央に設けられている金属性の糸通し環と、前記うき本体の頂部中央に設けられている断面円形の突出部と、該突出部に下側が装着される透明の合成樹脂管と、該合成樹脂管の上側に取替可能に装着される棒状化学発光体と棒状補助うきとを有し、しかも前記棒状補助うきは、前記棒状化学発光体より長く、少なくとも下部が該棒状化学発光体と同一外径となって、昼間に前記棒状補助うきを使用し、夜間に前記棒状化学発光体を使用することを特徴とする昼夜兼用の釣用うき。
【請求項２】
請求項１記載の昼夜兼用の釣用うきにおいて、前記棒状補助うきは、前記化学発光体の１．７〜４倍の長さを有していることを特徴とする昼夜兼用の釣用うき。
【請求項３】
請求項１又は２記載の昼夜兼用の釣用うきにおいて、前記棒状補助うきは前記棒状化学発光体と同一直径の基側部と、該基側部の上側に連接されて前記基側部より直径の小さい先側部とを有していることを特徴とする昼夜兼用の釣用うき。
【手続補正２】
【補正対象書類名】明細書
【補正対象項目名】０００６
【補正方法】変更
【補正の内容】
【０００６】
前記目的に沿う本考案に係る昼夜兼用の釣用うきは、下部に自立用の錘が設けられている、紡錘形状、回転楕円体、又は卵形状のうき本体と、該うき本体の底部中央に設けられている金属性の糸通し環と、前記うき本体の頂部中央に設けられている断面円形の突出部と、該突出部に下側が装着される透明の合成樹脂管と、該合成樹脂管の上側に取替可能に装着される棒状化学発光体と棒状補助うきとを有し、しかも前記棒状補助うきは、前記棒状化学発光体より長く、少なくとも下部が該棒状化学発光体と同一外径となって、昼間に前記棒状補助うきを使用し、夜間に前記棒状化学発光体を使用する。